(57)【要約】【課題】  加熱調理器のスイッチ装置において、スイッチの動作が確実に行なわせるための組立ての作業を必要とするという問題の解消可能なスイッチ装置を提供する。【解決手段】  本発明の加熱調理器１は、開口部を有する本体２と、本体２内に設けられていて被加熱物を収納する加熱室３と、開口部を開閉するためのドア４と、被加熱物を加熱する加熱装置と、スイッチ取付板１１と、ドアスイッチレバー１２と、ドアスイッチ１３と、弾性部材１４と、回動軸２１ａとで構成された、ドア４の開閉に応動するスイッチ装置１０とを備え、スイッチ取付板１１上には、ドアスイッチレバー１２と、ドアスイッチ１３と、弾性部材１４及び回動軸２１ａが配設され、ドアスイッチレバー１２のスライドにより弾性部材１４が付勢され、付勢された力でスイッチ取付板１１の回動軸２１ａにてスイッチ取付板１１を回動させることを特徴とする。【選択図】  図２
2013242117.tif 000002
【特許請求の範囲】
【請求項１】
開口部を有する本体と、
前記本体内に設けられていて被加熱物を収納する加熱室と、
前記開口部を開閉するためのドアと、
被加熱物を加熱する加熱装置と、
スイッチ取付板と、ドアスイッチレバーと、ドアスイッチと、弾性部材と、回動軸とで構成された、前記ドアの開閉に応動するスイッチ装置とを備え、
前記スイッチ取付板上には、前記ドアスイッチレバーと、前記ドアスイッチと、前記弾性部材及び前記回動軸が配設され、前記ドアスイッチレバーの移動により前記弾性部材が付勢され、付勢された力で前記スイッチ取付板の前記回動軸にて前記スイッチ取付板を回動させることを特徴とする加熱調理器。
【請求項２】
前記弾性部材は、弾性体と接続線とで構成され、前記弾性体の一方は前記ドアスイッチレバーに、他方は前記接続線に接続され、前記接続線の他方は前記スイッチ取付板に接続されていることを特徴とする請求項１記載の加熱調理器。
【請求項３】
弾性部材支点を更に有し、前記弾性部材の前記接続線は、前記弾性部材支点に接して移動することを特徴とする請求項２に記載の加熱調理器。
【請求項４】
前記ドアが閉じて、前記ドアの突起で前記ドアスイッチレバーが後方に押しこまれた時、前記接続線は、前記スイッチ取付板から前記弾性部材支点の方向に引っ張られることを特徴とする請求項３に記載の加熱調理器。
【請求項５】
前記ドアを閉じた状態で、前記スイッチ装置の前記スイッチ取付板は、前記スイッチ取付板が回動後の位置で、固定手段により固定されたことを特徴とする請求項１から請求項４までのいずれか１項に記載の加熱調理器。
【発明の詳細な説明】
【技術分野】
【０００１】
本発明は、加熱調理器のドアの開閉に応動するドアスイッチが確実に開閉するようにした加熱調理器に関する。
【背景技術】
【０００２】
電子レンジなどの加熱調理器において、ドアの開閉と連動するドアスイッチは、電波漏洩防止などの安全面から、確実なドアの開閉が提供できるようにしなければならない。
【０００３】
従来の加熱調理器では、ドア、前面板等で構成する複数の部品の組立て時に組立て寸法のバラツキにより、ドアスイッチレバーで押されて動作するドアスイッチのノブが、不十分な押しにより確実に押されない場合があった。このため、組立て時に手作業でドアスイッチの取付け位置を調整し、確実に押される位置に調整していた。
【０００４】
また、ドアスイッチの構造に工夫を凝らしてドアの開閉を確実にしようとするものとして特開２０００−３３７６４１号公報（特許文献１）に示されたものがある。図６及び図７を用いて特許文献１に示された加熱調理器のドアスイッチ部分の説明を行う。図６は加熱調理器のドアスイッチ近傍の側面部分断面図であり、図７は図６のドアスイッチ近傍の側面詳細部分断面図である。図６及び図７に示すように、高周波加熱装置である加熱調理器は、被加熱物を高周波加熱するための加熱源１０１と、被加熱物が収納される加熱室１０２と、加熱室１０２の前方に設けられた開閉可能なドア１０３とを有する。
【０００５】
ドア１０３のドアスイッチは以下のような機構になっている。ドア１０３の開閉情報を本体側へ伝達するためにその一カ所あるいは複数カ所に設けられた凸部１０４ａ、１０４ｂがある。ドア１０３の裏面と対向した部位の加熱室１０２の入口周囲に設けられた加熱室前板１０５と、凸部１０４ａ、１０４ｂを受け入れるために加熱室前板１０５に設けられた孔１０６ａ、１０６ｂがある。加熱室前板１０５の内側に設けられて凸部１０４ａ、１０４ｂの進入動作をスイッチ類に伝達するカム１０７ａ、１０７ｂと、このカム１０７ａ、１０７ｂの近傍に設けられるとともにカム１０７ａ、１０７ｂの動作に応動する複数のスイッチ１０８ａ、１０８ｂ、１０８ｃ、１０８ｄがある。加熱室前板１０５の内側において孔の少なくとも一カ所に対応した位置に設けられて凸部１０４ａ、１０４ｂの進入を案内するガイドピ−ス１０９と、複数のスイッチ１０８ａ、１０８ｂ、１０８ｃ、１０８ｄが組み込まれるスイッチケ−ス１１０がある。
【０００６】
凸部１０４ａ、１０４ｂの進入に対するカム１０７ａ、１０７ｂの応動を円滑かつ確実にし、ドア１０３の開閉動作を確実にとらえられることが示されている。この手段としては、ガイドピ−ス１０９とスイッチケ−ス１１０との間に、空隙１１１を設けている。これにより、加熱室前板１０５の内側に配置したガイドピ−ス１０９の固定作業のバラツキや加熱室前板１０５の金属板の爪のバリの有無などに影響されることがなくなる。
【先行技術文献】
【特許文献】
【０００７】
【特許文献１】特開２０００−３３７６４１号公報
【発明の概要】
【発明が解決しようとする課題】
【０００８】
しかしながら、特許文献１では、凸部のガイドピ−ス１０９を設け、さらにガイドピ−ス１０９とスイッチケ−ス１１０との間に所定の空隙１１１を設けなければならず、組立ての作業性が低下するおそれがあった。
【０００９】
本発明は、ドアスイッチの組立ての作業性を向上させ、スイッチのノブの動作を確実に行える加熱調理器装置を提供する。
【課題を解決するための手段】
【００１０】
前記課題を解決するため、本発明に係る加熱調理器は、開口部を有する本体と、本体内に設けられていて被加熱物を収納する加熱室と、開口部を開閉するためのドアと、被加熱物を加熱する加熱装置と、スイッチ取付板と、ドアスイッチレバーと、ドアスイッチと、弾性部材と、回動軸とで構成された、ドアの開閉に応動するスイッチ装置とを備え、スイッチ取付板上には、ドアスイッチレバーと、ドアスイッチと、弾性部材及び回動軸が配設され、ドアスイッチレバーの移動により弾性部材が付勢され、付勢された力でスイッチ取付板の回動軸にてスイッチ取付板を回動させることを特徴とする。
【発明の効果】
【００１１】
本発明によれば、スイッチ取付板とドアスイッチレバーとを弾性体で接続し、スイッチ取付板を弾性体で付勢し、回動軸でスイッチ取付板を回動させることで、組立て時の作業が不要であり、スイッチの動作が確実に行なわれる。
【図面の簡単な説明】
【００１２】
【図１】本発明の加熱調理器の斜視図である。
【図２】本発明の加熱調理器の第１の実施例となるドアが開いた状態でのスイッチ装置を示す部分垂直断面図である。
【図３】第１の実施例となるスイッチ装置を装置取付け板に取付けた状態図である。
【図４】第１の実施例となるドアが開閉した場合のスイッチ装置の動作を示す部分垂直断面図である。
【図５】第２の実施例となるスイッチ装置を装置取付け板に取付けた状態図である。
【図６】従来例の加熱調理器のドアスイッチ近傍の側面部分断面図である。
【図７】図６のドアスイッチ近傍の側面詳細部分断面図である。
【発明を実施するための形態】
【００１３】
以下、本発明の実施例を図面に基づいて説明する。その他の構成については、加熱調理器の一般的な技術が適用できることはいうまでもない。
【００１４】
（実施例１）
図１は本発明の加熱調理器の斜視図である。加熱調理器１は、本体２、加熱室３、ドア４、前面板５等が備えられている。加熱調理器１は本体２、ドア４と被加熱物を加熱する加熱装置を有する。加熱装置は図示しない高周波加熱部、過熱水蒸気発生部、加熱ヒータの少なくともいずれかを備えている。本体２は加熱室３、ドア４と対向する面に前面板５等を備える。本体２は開口部をドア４側に有し、ドア４を閉じることで、開口部は塞がれる。加熱室３は、本体２内に設けられていて被加熱物を収納する。
【００１５】
ドア４は、表面にドア４を開閉するためのハンドル４ｃがある。ドア４の裏面の本体２と対向する部分がほぼ平坦な平面部４ｂとなっており、その平面部４ｂ内でドアの上部に突起４ａが設けられている。
【００１６】
本体２の前面板５には、２つの孔が設けられ、上下方向に配置されている。上側の孔は、ドア４を閉じた時に、ドア４の突起４ａが進入する突起孔５ａであり、下側の孔は、後述する本体２内にあるスイッチレバーのレバー先端が突き出しているレバー孔５ｂである。該レバーの先端は、ドア４の裏面の平面４ｂに当接して止まる。
【００１７】
図２は、本発明の加熱調理器１のドア４が開いた状態でのスイッチ装置１０を示す部分垂直断面図である。スイッチ装置１０は、スイッチ取付板１１、ドアスイッチレバー１２、ドアスイッチ１３、弾性部材１４、弾性部材支点１５、スイッチレバー１６、スイッチバネ１７、ラッチスイッチ１８、モニタースイッチ１９等が配置されている。スイッチ装置１０は、ドア４の開閉に応動するスイッチ類を備えている。
【００１８】
スイッチ装置１０は、本体２の内側で、前面板５の裏側上部に配置されている。ここで、加熱室３の手前から奥側に向かう方向を後方（後方向）とし、前側に向かう方向を前方（前方向）とする。スイッチ取付板１１は、材料が樹脂で、ネジ孔１１ａ、１１ｂが設けられている。
【００１９】
ドアスイッチレバー１２は、材料が樹脂で、前後方向に直方体の形状である。ドア４が閉じた時、図１に示したドア４の突起４ａがレバー孔５ａの開口から進入してドアスイッチレバー１２の端面に当接しながら、本体２内に入る。ドアスイッチレバー１２の前方の端面は、ドア４の突起４ａに当接しながら押されて、後方に水平にスライドする。ドアスイッチレバー１２は、後方にスライドした結果、後側端部の下面がドアスイッチ１３のノブ１３ａを押し、ドアスイッチ１３が動作する。
【００２０】
弾性部材１４は、ドアバネ１４ａと接続線１４ｂとが直列に接続されてなる。ドアバネ１４ａは、弾性体で、引張コイルバネである。接続線１４ｂは、柔らかく表面の摩擦抵抗が少ない金属線である。たとえば、細く柔らかく屈曲する針金、ピアノ線等である。あるいは、細く柔らかく屈曲するカーボン、ナイロン等を含んだ樹脂材料や、繊維状の糸等でもよい。ドアバネ１４ａ先端の一方は、形状が丸フックで、ドアスイッチレバー１２の上部に設けられた円柱状突起１２ａに引っ掛けて固定されている。他方は、接続線１４ｂと一体接続されている。接続線１４ｂの一方は、スイッチ取付板１１に設けられた円柱状突起１１ｃに引っ掛けて固定されている。円柱状突起である弾性部材支点１５の外周が、接続線１４ｂの任意の位置で、接続線１４ｂに接するように配置されている。該接続線１４ｂは、弾性部材支点１５を支点としてＶ字形状を形成し、ドアスイッチレバー１２の前後方向のスライドに応動してスムーズに動く。接続線１４ｂと弾性部材支点１５との接触位置は、ドアバネ１４ａに弾性的に付勢された場合に移動する。なお、ドア４が開いた状態で、ドアバネ１４ａは、弾性的に消勢されている。
【００２１】
スイッチレバー１６は、材料が樹脂で、ドア４が閉じた時、レバー１６ａがドア４の裏面の平面４ｂに押されてレバー回動軸１６ｂを軸として回動する。スイッチレバー１６の回動により、スイッチレバー１６の先端がラッチスイッチ１８とモニタースイッチ１９のそれぞれのノブ１８ａ、１９ａを押して、ラッチスイッチ１８とモニタースイッチ１９を動作させる。
【００２２】
スイッチバネ１７は、スイッチレバー１６をドア４が開いた状態の位置に戻すためのバネである。スイッチバネ１７は、ドア４が開いた状態では弾性的に消勢され、ドア４が閉じた状態では、弾性的に加勢されている。
【００２３】
図３は、スイッチ装置１０を装置取付け板２０に取付けた状態図である。図３（ａ）は、部分垂直断面図で、図３（ｂ）は、図３（ａ）のＡ−Ａ’断面図とＢ−Ｂ’断面図である。
【００２４】
本体２の前面板５には、金属製の装置取付け板２０と弾性部材支点固定板２２がそれぞれ固定されている。装置取付け板２０には、スイッチ装置１０がネジ２１で回動可能に取付けられている。装置取付け板２０は、長方形の孔２０ａが設けられ、孔２０ａの開口方向にはネジ孔１１ｂがほぼ左右中央に見える位置に配置されている。
【００２５】
図３（ｂ）において、装置取付け板２０は、ネジ２１でスイッチ取付板１１に取付けられている。ネジ２１は、半ネジであり、ネジ頭下部のネジ首部２１ａは、外周にネジ山が切られていない。一方、装置取付け板２０の孔２０ｂは、円形でネジ首２１ｂの外周との間に回動可能な隙間が設けられ、更にネジの長さ方向にも回動可能な隙間が設けられている。したがって、スイッチ装置１０は装置取付け板２０に対して回動可能となっている。ネジ首部２１ａは、外周で回動可能であり、スイッチ取付板１１の回動軸となっている。
【００２６】
弾性部材支点固定板２２は、弾性部材支点１５を固定している。図３（ｂ）のＢ−Ｂ’断面図に示すように、弾性部材支点１５先端部は、丸いフックの形状となっている丸フック１５ａとなっている。弾性部材支点１５先端部の逆側は、なべ頭の形状であるネジ頭１５ｂとなっている。弾性部材支点１５は、取付け板２２の丸孔に先端から挿入後、先端部は丸フック１５ａの形状に曲げられている。弾性部材支点１５は、取付け板２２に固定されている。丸フック１５ａの内側に接続線１４ｂが通り、スムーズに移動できるようにしている。
【００２７】
図４は、ドアが開閉した場合のスイッチ装置の動作を示す部分垂直断面図である。図４（ａ）はドアが開いた状態、図４（ｂ）はドアが閉じた瞬間の状態、図４（ｃ）はドアが閉じた後、スイッチ取付板１１が反時計回りである矢印Ｅの方向に回動した状態を示している。
【００２８】
図４（ａ）は、ドアが開いた状態である。図示しないドア４の突起４ａが、ドアスイッチレバー１２を後方に押しこんでないので、ドアスイッチ１３のノブ１３ａは、押されてない。引張コイルバネであるドアバネ１４ａは、縮んだ状態で、弾性的に消勢された状態である。接続線１４ｂは、たるんだ状態である。
【００２９】
図４（ｂ）は、ドアが閉じた瞬間の状態である。ドアが閉じた瞬間、ドア４の突起４ａがドアスイッチレバー１２の端面を押し、ドアスイッチレバー１２が後方にスライドする。ドアバネ１４ａは、ドアスイッチレバー１２の上部に設けられた突起に引っ掛けられて固定されているので、応動して、後方に向かう矢印Ｃの方向に伸びて、付勢される。
【００３０】
正常動作の場合は、ドアスイッチ１３のノブ１３ａの上面は、ノブ１３ａの上面全体が押される全押し状態となり、ドアスイッチ１３の動作が確実に行われる。しかしながら、ドア、前面板等で構成する複数の部品の組立て時に組立て寸法のバラツキにより、ドアスイッチレバー１２がノブ１３ａの上面全体を押すまで、十分に後方にスライドしない状態が生じる場合がある。この状態が図４（ｂ）であり、ドアスイッチ１３のノブ１３ａの上面は、ノブ１３ａが確実な動作状態でない半押状態となっている。このため、ドアスイッチ１３の動作が確実に行われない。ドアスイッチ１３を確実に動作させるためには、ノブ１３ａの上面全体が、ドアスイッチレバー１２の底面で、ノブ１３ａの上面全体を全押しが必要である。
【００３１】
図４（ｃ）は、はドアが閉じた後スイッチ取付板１１が反時計回りである矢印Ｅの方向に回動した状態である。スイッチ取付板１１が反時計回りに回動することにより、正常動作の場合であるドアスイッチ１３のノブ１３ａの上面全体を全押しされた状態になる。動作としては、ドアバネ１４ａが、弾性的に付勢されて伸びたので、この付勢された力が接続線１４ｂに伝わる。接続線１４ｂは、前方に向かう矢印Ｄの方向に伸びて、付勢される。接続線１４ｂに付勢された力は、弾性部材支点固定板２２に固定されている弾性部材支点１５を支点とし、同時にドアスイッチレバー１２の円柱状突起１２ａが突起４ａで固定されたので、スイッチ取付板１１の円柱状突起１１ｃを矢印Ｄの方向に引っ張る力が働く。一方、スイッチ取付板１１は、ネジ孔１１ａに固定されたネジ２１のネジ首部２１ａを回動軸として回動可能である。接続線１４ｂに付勢された力は、スイッチ取付板１１に働き、スイッチ取付板１１を反時計回りである矢印Ｅの方向に回動させた。なお、スイッチ取付板１１は、スイッチ取付板１１上部の不図示の端部が、前面板５に当たり回動が止まる。
【００３２】
スイッチ取付板１１が回動したことにより、ドアスイッチ１３のノブ１３ａが、前方に移動する。それにより、ドアスイッチ１３のノブ１３ａがドアスイッチレバー１２と接触しながら押され、ドアスイッチ１３は半押状態から全押しされた状態となり、ドアスイッチ１３のノブ１３ａが正常で確実な動作状態となった。ドアスイッチ１３のノブ１３ａは、前後方向の幅が１〜５ｍｍのものが好ましく、ここでは２．５ｍｍとした。図４（ｂ）の場合、ドアスイッチレバー１２が、１．２５ｍｍ後方へ移動すれば確実にドアスイッチ１３のノブ１３ａが全押しされることになる。スイッチ取付板１１が回動しても、回動によるノブ１３ａの前方への移動は、少ないので、ドアスイッチレバー１２とドアスイッチレバー１２をスライドさせるための上下の不図示のガイドとの隙間にガタツキが生じない。また、ドアスイッチレバー１２は、確実にノブ１３ａを押すことができる。
【００３３】
図４（ｃ）の状態からドアが開かれた場合、スイッチ取付板１１は、反時計回りである矢印Ｅの方向とは反対の回動方向である時計回りに回動して、図４（ａ）の状態に戻る。スイッチ取付板１１は、スイッチ取付板１１下部の不図示の端部が、前面板５に当たり回動が止まるようにしてもよい。
【００３４】
以上説明したように、スイッチ取付板１１が、回動軸２１ａを中心に回動して前方に確実に回動されるので、ドアスイッチレバー１２が、ドアスイッチ１３のノブ１３ａを確実に押すことができる。この結果、ドア、前面板等で構成する複数の部品の組立て時に組立て寸法のバラツキが生じた場合でも、確実にスイッチの動作を行なわせることができる。弾性部材１４は、一方の端をドアスイッチレバー１２に、他方の端をスイッチ取付板１１に接続されているので、スイッチ取付板１１を回動させることができた。更に、ドアバネ１４ａ及び接続線１４ｂを直列に設けたので、スイッチ取付板１１を回動させ、応動したドアスイッチ１３が前方に移動したので、ドアスイッチ１３のノブ１３ａをドアスイッチレバー１２が確実に押すことができる。
【００３５】
なお、弾性部材１４は、上記説明ではドアスイッチレバー１２にドアバネ１４ａを接続し、スイッチ取付板１１に接続線１４ｂを接続したが、逆に接続してもよい。また、接続線１４ｂの代わりにドアバネ１４ａを設け、２つのドアバネ１４ａのそれぞれ弾性部材支点１５側の端を弾性部材支点１５に固定してもよい。
【００３６】
なお、ドアバネ１４ａは、実施例ではコイルバネとしたが、コイルバネ以外に弾性的に付勢できる弾性体であればよい。また、ドアバネ１４ａは、材料、バネの長さ、外径、バネ定数等を変更してもよく、付勢力を確保できる弾性体であればよい。接続線１４ｂが接する弾性部材支点１５の丸フック１５ａの丸いフックの代わりに滑車を配置してもよい。滑車の円盤状の周長に沿って設けられた2つのフランジの間の溝に接続線１４ｂを掛けて、接続線１４ｂが滑りやすいようにする。又は、滑車が、弾性部材支点１５の軸の回りをスムーズに回動するようにしてもよい。
【００３７】
（実施例２）
図５は、第２の実施例となるスイッチ装置を装置取付け板に取付けた状態図である。図５（ａ）は、部分垂直断面図で、図５（ｂ）は、図５（ａ）のＡ−Ａ’断面図とＦ−Ｆ’断面図である。なお、実施例１と同じ部分は説明を省略する。
【００３８】
ドアスイッチレバー１２とスイッチ取付板１１のそれぞれ円柱状突起１２ａ、円柱状突起１１ｃに所定の長さの接続線２３のみを接続し、弾性部材支点２４の材料を弾力があって、折れずに柔らかく曲がるバネ材を用いた。本実施例は、第１の実施例においてドアバネ１４ａをすべて接続線２３だけに変更し、弾性部材支点１５を軸にバネ材を用いた弾性部材支点２４に変更した以外は、第１の実施例と同じ構造とした。
【００３９】
ドア４の突起４ａが、ドアスイッチレバー１２を後方に押しこんだ時に、接続線２３は所定の長さであり、かつ伸びないので、弾性部材支点２４を後方に引っ張る力が加わる。図５（ｂ）のＦ−Ｆ’断面図に示すように弾性部材支点２４の軸２４ａは曲がり、点線で示した引張り力が加えられた形状の軸２４ｂになる。接続線２３に付勢された力は、弾性部材支点固定板２２に固定されている弾性部材支点２４を支点とし、同時にドアスイッチレバー１２の円柱状突起１２ａが突起４ａで固定されたので、図４（ｃ）と同様に、スイッチ取付板１１の円柱状突起１１ｃを図４（ｃ）に示した矢印Ｄの方向に引っ張る力が働く。以後の動作は、実施例１で説明したものと同じであるので省略する。
【００４０】
このように、ドアバネ１４ａをすべて接続線２３だけに変更したことで、構造が簡単となり、コストダウンが図れる。
【００４１】
（実施例３）
次に、第３の実施例となるスイッチ装置１０について説明する。第１の実施例では、スイッチ取付板１１を回動軸２１ａで回動させていたが、本実施例は、スイッチ取付板１１を固定して回動できないようにした場合である。実施例１では、ドア、前面板等で構成する複数の部品の組立て時に組立て寸法のバラツキにより、ドアスイッチレバー１２がノブ１３ａの上面全体を押すまで、十分に後方にスライドしない状態が生じた場合の対応として、図４（ｃ）のとおり、スイッチ取付板１１を反時計回りである矢印Ｅの方向に回動させた。これにより、正常動作の場合であるドアスイッチ１３のノブ１３ａの上面全体を全押しされた正常な状態となった。
【００４２】
本実施例では、図４（ｃ）の状態で、スイッチ取付板１１を固定手段で固定した。一例としては、図３（ａ）において、スイッチ取付板１１の孔１１ｂに装置取付け板２０の孔２０ａからネジを用いて、ネジ止めした。スイッチ取付板１１は、装置取付け板２０に固定され、回動できないようにした。ドア４の開動作をした場合、スイッチ取付板１１は、固定されたままで、ドア４の突起４ａがドアスイッチレバー１２を押してない状態である図４（ａ）の状態になる。次にドア４の閉動作をした場合、スイッチ取付板１１は固定されたままなので、すぐに図４（ｃ）の状態になる。ドア４の開閉動作を繰り返しても、スイッチ取付板１１は、固定されたままで、図４（ａ）の状態と図４（ｃ）の状態を繰り返し動作する。なお、スイッチ取付板１１の固定手段は、一例としてネジを用いてネジ止めしたが、機械的な固定、溶着、接着等で固定できる手段であればよい。
【００４３】
したがって、ドア４の開閉動作を繰り返しても、ドアスイッチレバー１２は、確実にノブ１３ａを全押しする。スイッチ取付板１１は固定されているので、ドア開閉を繰り返してもスイッチ取付板１１の回動軸２１ａ、スイッチ取付板１１に固定されているスイッチ等のすり減りやゆるみ等が生じにくい。
【００４４】
以上で説明した実施形態はあくまで本発明を実施するに当たっての一例であり、本発明はそれらに限定されるものではない。上述した実施形態に開示された技術的手段に周知慣用技術を適宜組み合わせて得られる態様についても本発明の技術的範囲に含まれる。
【符号の説明】
【００４５】
１      加熱調理器
２      本体
３      加熱室
４      ドア
４ａ    突起
４ｂ  平面部
５      前面板
１０    スイッチ装置
１１    スイッチ取付板
１１ａ  ネジ孔
１１ｂ  ネジ孔
１１ｃ  円柱状突起
１２    ドアスイッチレバー
１２ａ  円柱状突起
１３    ドアスイッチ
１４    弾性部材
１４ａ  ドアバネ
１４ｂ  接続線
１５    弾性部材支点
１６    スイッチレバー
１６ａ  レバー
１６ｂ  レバー回動軸
２０    装置取付け板
２１    ネジ
２１ａ  ネジ首部(回動軸)
２２    弾性部材支点固定板
２３    接続線
２４    弾性部材支点
２４ａ  軸
２４ｂ  軸
【図１】
2013242117.tif 000003
【図２】
2013242117.tif 000004
【図３】
2013242117.tif 000005
【図４】
2013242117.tif 000006
【図５】
2013242117.tif 000007
【図６】
2013242117.tif 000008
【図７】
2013242117.tif 000009